(57)【要約】【課題】電線に対する線条支持体の取付作業の簡素化を図ること。【解決手段】電線２の長手方向に間隔を隔てて電線２に取付自在な一対の線条支持体３と、電線２の上方側に位置する状態で一対の線条支持体３に亘って張設自在な線条体４とが備えられている鳥害防止具１において、一対の線条支持体３の夫々には、電線２を挿通自在な挿通孔部３１と、その挿通孔部３１を開口させる開口状態と閉塞させる閉塞状態とに切替自在な開閉部と、開閉部を開口状態から閉塞状態に切り替える開閉切替部とが備えられ、開閉切替部は、電線２を挿通孔部３１内に移動させるための電線２に対する線条支持体３の移動操作に伴って、開閉部を開口状態から閉塞状態に切り替えている。【選択図】図１
2020184975.tif 000002
【特許請求の範囲】
【請求項１】
電線の長手方向に間隔を隔てて前記電線に取付自在な一対の線条支持体と、前記電線の上方側に位置する状態で一対の前記線条支持体に亘って張設自在な線条体とが備えられている鳥害防止具であって、
一対の前記線条支持体の夫々には、前記電線を挿通自在な挿通孔部と、その挿通孔部を開口させる開口状態と閉塞させる閉塞状態とに切替自在な開閉部と、前記開閉部を開口状態から閉塞状態に切り替える開閉切替部とが備えられ、
前記開閉切替部は、前記電線を前記挿通孔部内に移動させるための前記電線に対する前記線条支持体の移動操作に伴って、前記開閉部を開口状態から閉塞状態に切り替えている鳥害防止具。
【請求項２】
前記開閉部は、前記挿通孔部に対する上下方向での移動により、前記挿通孔部の下方側を開口させる開口状態と前記挿通孔部の下方側を閉塞させる閉塞状態とに切替自在に構成され、
前記開閉切替部は、前記移動操作としての前記電線に対する前記線条支持体の下方側への移動操作に伴って、前記電線との当接により前記開閉部を上方側に移動させて開口状態から閉塞状態に切り替えている請求項１に記載の鳥害防止具。
【請求項３】
前記開閉部を閉塞状態にロックするロック状態に切替自在なロック部が備えられ、
前記開閉切替部は、前記移動操作としての前記線条支持体の下方側への移動操作に引き続いて、電線に対して前記線条支持体が下方側へ移動されるに伴って、前記ロック部をロック状態に切り替えている請求項２に記載の鳥害防止具。
【請求項４】
前記線条支持体には、電線の長手方向の一方側に別の線条支持体を連結自在な第１連結部と、電線の長手方向の他方側に別の線条支持体を連結自在な第２連結部とが備えられ、
前記第１連結部は、電線に対する別の線条支持体の下方側への移動操作に伴って、別の線条支持体の第２連結部と係合することで、別の線条支持体を連結自在に構成され、
前記第２連結部は、電線に対する別の線条支持体の下方側への移動操作に伴って、別の線条支持体の第１連結部と係合することで、別の線条支持体を連結自在に構成されている請求項２又は３に記載の鳥害防止具。
【請求項５】
一対の前記線条支持体の下方側部位には、前記線条体を電線の上方側に復帰位置させるように、一対の前記線条支持体に亘って架け渡された錘部が備えられ、
前記錘部の上方側には、一対の前記線条支持体に亘って錘部用線条体が張設されている請求項１〜４の何れか１項に記載の鳥害防止具。
【発明の詳細な説明】
【技術分野】
【０００１】
本発明は、電線に鳥が止まることによる鳥害の発生を防止する鳥害防止具に関する。
【背景技術】
【０００２】
上記のような鳥害防止具は、電線の長手方向に間隔を隔てて一対の線条支持体を電線に取り付け、電線の上方側に位置する状態で一対の線条支持体に亘ってガラス糸等の線条体を張設させることで、電線に鳥が止まることを防止している（例えば、特許文献１参照。）。線条支持体には、電線を挿通させる挿通孔部と、その挿通孔部を開口させる開口状態と閉塞させる閉塞状態とに切替自在な開閉部と、線条体の端部を固定させる線条体固定部とが備えられている。
【０００３】
線条支持体を電線に取り付ける場合には、開閉部を開口状態に切り替えて挿通孔部を開口させた状態で、電線が挿通孔部内に移動するように、電線に対して線条支持体を接近移動させることで、電線を挿通孔部に挿通させている。その後、開閉部を閉塞状態に切り替えて挿通孔部を閉塞させ、開閉部における止め具の先端部を穴に嵌合させて、閉塞状態にロックすることで、線条支持体を電線に固定している。
【先行技術文献】
【特許文献】
【０００４】
【特許文献１】特開平１０−１５５４０８号公報
【発明の概要】
【発明が解決しようとする課題】
【０００５】
特許文献１に記載の鳥害防止具では、線条支持体を電線に取り付ける場合に、電線を挿通孔部に挿通させただけでは、挿通孔部が開口されている開口状態のままとなっている。それ故に、作業者は、開閉部を閉塞状態に切り替えるための切替操作を行わなければならず、しかも、線条支持体の落下を防止しながら、その切替操作を行う必要がある。よって、電線に対する線条支持体の取付作業が複雑で煩わしいものとなっている。特に、電線に対する線条支持体の取付作業は、高所にて行われる作業であることから、その取付作業の簡素化が望まれている。
【０００６】
この実情に鑑み、本発明の主たる課題は、電線に対する線条支持体の取付作業の簡素化を図ることができる鳥害防止具を提供する点にある。
【課題を解決するための手段】
【０００７】
本発明の第１特徴構成は、電線の長手方向に間隔を隔てて前記電線に取付自在な一対の線条支持体と、前記電線の上方側に位置する状態で一対の前記線条支持体に亘って張設自在な線条体とが備えられている鳥害防止具において、
一対の前記線条支持体の夫々には、前記電線を挿通自在な挿通孔部と、その挿通孔部を開口させる開口状態と閉塞させる閉塞状態とに切替自在な開閉部と、前記開閉部を開口状態から閉塞状態に切り替える開閉切替部とが備えられ、
前記開閉切替部は、前記電線を前記挿通孔部内に移動させるための前記電線に対する前記線条支持体の移動操作に伴って、前記開閉部を開口状態から閉塞状態に切り替えている点にある。
【０００８】
本構成によれば、電線に対して一対の線条支持体を取り付ける場合には、作業者が、電線を挿通孔部内に移動させるための電線に対する線条支持体の移動操作を行うと、その線条支持体の移動操作に伴って、開閉切替部が、挿通孔部を開口させる開口状態から、開閉部にて開口を閉塞させる閉塞状態に切り替えている。閉塞状態では、挿通孔部の開口が閉塞されているので、電線に対して線条支持体を仮固定することができる。
【０００９】
これにより、作業者は、電線を挿通孔部内に移動させるための電線に対する線条支持体の移動操作を行うだけで、開閉部を閉塞状態に切り替えるための操作を行わなくても、電線に対して線条支持体を仮固定して、線条支持体の落下を防止することができる。よって、電線を挿通孔部に挿通させるという通常の操作を行うだけで、線条支持体の落下を防止することができ、電線に対する線条支持体の取付作業の簡素化を図ることができる。
【００１０】
本発明の第２特徴構成は、前記開閉部は、前記挿通孔部に対する上下方向での移動により、前記挿通孔部の下方側を開口させる開口状態と前記挿通孔部の下方側を閉塞させる閉塞状態とに切替自在に構成され、
前記開閉切替部は、前記移動操作としての前記電線に対する前記線条支持体の下方側への移動操作に伴って、前記電線との当接により前記開閉部を上方側に移動させて開口状態から閉塞状態に切り替えている点にある。
【００１１】
本構成によれば、開閉部が開口状態である場合には、挿通孔部の下方側が開口しているので、例えば、電線に対して線条支持体を左右方向に移動させて、挿通孔部の下方側に電線を位置させた状態において、開口を通して電線を挿通孔部内に移動させるために、作業者が、電線に対して線条支持体を下方側へ移動操作することになる。この線条支持体の下方側への移動操作に伴って、開閉切替部が、電線と開閉部との当接により開閉部を上方側に移動させて開口状態から閉塞状態に切り替えている。
【００１２】
このように、作業者が、電線に対して線条支持体を下方側へ移動操作するだけで、電線と開閉部との当接を利用して閉塞状態に切り替えて、電線に対する線条支持体の仮固定を簡易に且つ適切に行うことができる。しかも、線条支持体の下方側への移動操作に伴って閉塞状態に切り替えているので、作業者は、線条支持体等の自重を利用しながら、少ない操作力で線条支持体の下方側への移動操作を簡易に行うことができる。更に、例えば、移動操作の途中等に、線条支持体を落下させても、その自重により線条体支持体が下方側に移動することになる。よって、このような場合でも、開閉切替部が、線条支持体の落下により閉塞状態に切り替えることができ、線条支持体の取付作業の簡素化をより一層図ることができる。
【００１３】
本発明の第３特徴構成は、前記開閉部を閉塞状態にロックするロック状態に切替自在なロック部が備えられ、
前記開閉切替部は、前記移動操作としての前記線条支持体の下方側への移動操作に引き続いて、電線に対して前記線条支持体が下方側へ移動されるに伴って、前記ロック部をロック状態に切り替えている点にある。
【００１４】
本構成によれば、開閉切替部は、線条支持体の下方側への移動操作に引き続いて、電線に対して線条支持体が下方側へ移動されるに伴って、ロック部をロック状態に切り替えているので、作業者は、開閉部が閉塞状態となっても、線条支持体の下方側への移動操作を引き続いて行うだけで、開閉部を閉塞状態にロックするロック状態に切り替えて、電線に対して線条支持体を固定することができる。よって、作業者は、電線に対して線条支持体を下方側へ移動操作するだけで、線条支持体の仮固定だけでなく、線条支持体の本固定を行うことができ、線条支持体の取付作業の簡素化をより一層図ることができる。
【００１５】
本発明の第４特徴構成は、前記線条支持体には、電線の長手方向の一方側に別の線条支持体を連結自在な第１連結部と、電線の長手方向の他方側に別の線条支持体を連結自在な第２連結部とが備えられ、
前記第１連結部は、電線に対する別の線条支持体の下方側への移動操作に伴って、別の線条支持体の第２連結部と係合することで、別の線条支持体を連結自在に構成され、
前記第２連結部は、電線に対する別の線条支持体の下方側への移動操作に伴って、別の線条支持体の第１連結部と係合することで、別の線条支持体を連結自在に構成されている点にある。
【００１６】
本構成によれば、線条支持体には第１連結部と第２連結部とが備えられているので、電線の長手方向の両側において別の線条支持体を連結することができる。これにより、作業者は、電線の長手方向に移動しなくても、線条支持体に別の線条支持体を連結させて、電線の長手方向に連結した線条支持体を移動させることで、一対の線条支持体を１つの組として、複数組の線条支持体を電線の長手方向に連続させる状態で取り付けることができる。
【００１７】
しかも、第１連結部は、電線に対する別の線条支持体の下方側への移動操作に伴って、別の線条支持体の第２連結部と係合することで、別の線条支持体に連結されるので、作業者は、別の線条支持体を電線に取り付けるために、電線に対して別の線条支持体を下方側へ移動操作するだけで、別の線条支持体の取付作業と別の線条支持体の連結作業とを同時に行うことができる。また、第２連結部も、電線に対する別の線条支持体の下方側への移動操作に伴って、別の線条支持体の第１連結部と係合することで、別の線条支持体に連結されるので、電線に対して別の線条支持体を下方側へ移動操作するだけで、別の線条支持体の取付作業と別の線条支持体の連結作業とを同時に行うことができる。これにより、複数組の線条支持体を取り付ける場合でも、取付作業を効率よく行うことができ、取付作業の簡素化及び作業時間の短縮化を図ることができる。
【００１８】
本発明の第５特徴構成は、一対の前記線条支持体の下方側部位には、前記線条体を電線の上方側に復帰位置させるように、一対の前記線条支持体に亘って架け渡された錘部が備えられ、
前記錘部の上方側には、一対の前記線条支持体に亘って錘部用線条体が張設されている点にある。
【００１９】
本構成によれば、線条体を電線の上方側に復帰位置させるように、一対の線条支持体に亘って架け渡された錘部を備えることで、例えば、線条支持体が電線を中心に回転してしまっても、線条体を電線の上方側に復帰位置させることができ、電線に鳥が止まるのを適切に防止することができる。
【００２０】
しかしながら、錘部を備えることで、例えば、小鳥等が錘部に止まることも考えられる。そこで、本構成によれば、錘部の上方側には、一対の線条支持体に亘って錘部用線条体が張設されているので、錘部用線条体の存在により、錘部に小鳥等が止めることも防止することができる。
【図面の簡単な説明】
【００２１】
【図１】鳥害防止具を電線に取り付けた状態を示す斜視図
【図２】鳥害防止具を電線に取り付ける過程を示す斜視図
【図３】鳥害防止具を電線に取り付ける過程を示す斜視図
【図４】線条支持体を示す斜視図
【図５】線条支持体を示す斜視図
【図６】既設の線条支持体に対する別の線条支持体の連結過程を示す斜視図
【図７】既設の線条支持体に対する別の線条支持体の連結状態を示す斜視図
【図８】既設の線条支持体に対する別の線条支持体の連結過程を示す斜視図
【図９】鳥害防止具の取付作業を行っている状態を示す図
【発明を実施するための形態】
【００２２】
本発明に係る鳥害防止具の実施形態を図面に基づいて説明する。
この鳥害防止具１は、図１に示すように、電線２の長手方向に間隔を隔てて電線２に取付自在な一対の線条支持体３と、電線２の上方側に位置する状態で一対の線条支持体３に亘って張設自在な線条体４（例えば、ワイヤー）とが備えられている。ちなみに、線条体４については、ワイヤー等の直線状に延びる延設体のみから構成されているものに限らず、例えば、直線状に延びる延設体にその周方向に延びる針状の突起部を備えたものから線条体を構成することもでき、線条体４の構成は適宜変更が可能である。
【００２３】
線条支持体３は、図４及び図５に示すように、支持体本体５と可動体６との２つの部材を組み付けて構成されている。支持体本体５は、図１に示すように、電線２を挿通させる状態で電線２に固定されており、可動体６は、図４及び図５に示すように、支持体本体５に対して上下方向に可動自在に組み付けられている。
【００２４】
支持体本体５は、電線２の長手方向で所定の間隔を隔てた状態で上下方向に延びる姿勢の一対の壁部５ｄが備えられている。支持体本体５は、幅狭の上方側部位５ａと、上方側部位５ａよりも幅広の中間部位５ｂと、中間部位５ｂの左右方向の一方側から下方側に延びる下方側部位５ｃとを有している。
【００２５】
上方側部位５ａは、同一の左右幅で上方側に延び、その上端部が左右方向の中央側ほど上位に位置する山形形状に形成されている。中間部位５ｂは、その上方側が左右方向の中央側ほど上位に位置する傾斜状に形成され、その上方側から左右に分岐して下方側に延びる二股状に形成されている。下方側部位５ｃは、中間部位５ｂにおいて左右に分岐された一方側から下方側に延び、その下端部が左右方向の中央部に位置するように屈曲されたＬ字状に形成されている。ちなみに、「左右方向」は、線条支持体３及び支持体本体５の左右方向であり、電線２の長手方向に対して水平方向で直交する方向としている。
【００２６】
可動体６は、図４に示すように、電線２の長手方向の一方側から見るとＬ字状に形成され、図５に示すように、可動体６において電線２の長手方向の他方側には、上下方向及び左右方向に延びる板状部７が備えられている。板状部７には、左右方向で支持体本体５の下方側部位５ｃが存在する側とは反対側が開口された上下方向に長い楕円形状の挿通孔部用凹部７ａが形成されており、電線２の長手方向の他方側から見るとＣ字状に形成されている。
【００２７】
可動体６は、図４及び図５に示すように、上下方向に沿って直線状に延びる溝部８に沿って移動自在に備えられている。溝部８は、支持体本体５の中間部位５ｂ及び下方側部位５ｃに亘って形成されており、可動体６には、図４（ａ）の仮想線にて示すように、左右方向で支持体本体５の下方側部位５ｃが存在する側に突出する一対の爪部９が備えられている。可動体６における一対の爪部９を溝部８に係合させることで、可動体６が、溝部８に案内される状態で上下方向に移動自在に備えられている。
【００２８】
図５に示すように、可動体６において電線２の長手方向の他方側には、板状部７が備えられており、この板状部７が、支持体本体５の下方側部位５ｃ及び中間部位５ｂの壁部５ｄに摺動自在に備えられている。可動体６が支持体本体５に対して上下方向に移動するときには、可動体６の板状部７が支持体本体５の壁部５ｄに対して当接して移動することで、可動体６の上下方向での移動を案内している。支持体本体５の中間部位５ｂの上方側には、図５（ｃ）に示すように、可動体６の板状部７に当接することで、可動体６の上方側への移動を規制する規制部１０が備えられている。
【００２９】
線条支持体３には、図４及び図５に示すように、電線２を挿通自在な挿通孔部３１（図４参照）と、挿通孔部３１を開口させる開口状態と閉塞させる閉塞状態とに切替自在な開閉部３２と、開閉部３２を開口状態から閉塞状態に切り替える開閉切替部３３と、開閉部３２を閉塞状態にロックするロック状態に切替自在なロック部３４と、線条体４の端部を固定する線条体固定部３５とが備えられている。
【００３０】
ちなみに、図４及び図５では、（ａ）において、挿通孔部３１の下方側を開口させる開口状態を示しており、（ｂ）において、挿通孔部３１の下方側を開閉部３２にて閉塞させる閉塞状態を示しており、（ｃ）において、挿通孔部３１の下方側を開閉部３２にて閉塞させる閉塞状態にロック部３４がロックするロック状態を示している。図４（ｂ）及び（ｃ）、図５（ｂ）及び（ｃ）では、図４（ａ）、図５（ａ）と同様であるので、一部の符号を省略している。
【００３１】
挿通孔部３１は、図４に示すように、支持体本体５の左右方向の中央部に配置され、その上方側部位を構成する上方側凹部３１ａとその下方側部位を構成する下方側凹部３２ａとが備えられている。挿通孔部３１は、上方側凹部３１ａと下方側凹部３２ａとにより上下方向に長い楕円形状に構成されている。
【００３２】
挿通孔部３１の上方側凹部３１ａは、図４に示すように、支持体本体５の中間部位５ｂに備えられている。中間部位５ｂの二股状部分にて上方側凹部３１ａが構成されており、図４（ａ）に示すように、上方側凹部３１ａの下方側が開口されている。これにより、挿通孔部３１は、その下方側が開口されている状態で備えられている。
【００３３】
挿通孔部３１の下方側凹部３２ａは、図４及び図５に示すように、開閉部３２に備えられている。開閉部３２は、可動体６にて構成されており、支持体本体５に対して上下方向での移動により、挿通孔部３１の下方側を開口させる開口状態（図４（ａ）及び図５（ａ）参照）と挿通孔部３１の下方側を閉塞させる閉塞状態（図４（ｂ）及び図５（ｂ）参照）とに切替自在に構成されている。開閉部３２としての可動体６には、その上面部に下方側凹部３２ａが備えられている。開閉部３２が閉塞状態となることで、上方側凹部３１ａと下方側凹部３２ａとにより下方側が閉塞された挿通孔部３１を形作るようにしている。また、電線２の長手方向の他方側では、図５に示すように、可動体６に板状部７が備えられていることから、図５（ｃ）に示すように、板状部７の挿通孔部用凹部７ａによって、挿通孔部３１において電線２の長手方向の他方側の端部が構成されている。
【００３４】
開閉切替部３３は、図４及び図５に示すように、可動体６にて構成されており、電線２を挿通孔部３１内に移動させるための電線２に対する線条支持体３の移動操作に伴って、開閉部３２を開口状態から閉塞状態に切り替えている。開閉切替部３３としての可動体６には、図５に示すように、板状部７が備えられ、その板状部７には、挿通孔部３１を構成するための挿通孔部用凹部７ａが形成されている。挿通孔部用凹部７ａの上方側部位は、電線２の外周部に当接自在な半円形状に構成されている。これにより、開閉切替部３３は、図５（ｂ）に示すように、移動操作としての電線２に対する上下方向での線条支持体３の下方側への移動操作に伴って、可動体６の板状部７における挿通孔部用凹部７ａと電線２との当接により開閉部３２（可動体６）を上方側に移動させて開口状態から閉塞状態に切り替えている。
【００３５】
ロック部３４は、図４及び図５に示すように、開閉部３２（可動体６）にて挿通孔部３１の下方側を閉塞した閉塞状態において、開閉部３２の下方側への移動を規制することで、ロック状態に切り替えている。ロック部３４は、ロック用孔部３６と、そのロック用孔部３６に挿脱自在な挿脱部３７と、ロック用孔部３６に挿脱部３７が挿入された状態を保持する保持部３８とが備えられている。
【００３６】
ロック用孔部３６は、図４（ａ）及び図５（ａ）に示すように、可動体６において、左右方向で支持体本体５の下方側部位５ｃが存在する側とは反対側で下方側凹部３２ａに隣接する位置に備えられている。挿脱部３７は、支持体本体５の中間部位５ｂにおいて左右方向で支持体本体５の下方側部位５ｃが存在する側とは反対側の下端部に備えられ、上下方向でロック用孔部３６に対向する位置に配置されている。挿脱部３７は、弾性力を有する板状部材を上下方向で折り返して構成されている。挿脱部３７は、下方側に延びる下方側延設部３７ａと、下方側延設部３７ａの下端部にて折り返して上方側に延びる上方側延設部３７ｂとが、左右方向に間隔を隔てて並ぶ状態で備えられている。上方側延設部３７ｂの上端部は、左右方向で支持体本体５の下方側部位５ｃが存在する側とは反対側に延びるように折り曲げられた折曲部３７ｃとなっている。上方側延設部３７ｂの上方側には、左右方向で支持体本体５の下方側部位５ｃが存在する側とは反対側に突出する板状の保持部３８が備えられ、保持部３８が、ロック用孔部３６に挿入された状態で、ロック用孔部３６の周部３６ａに当接して係合自在に備えられている。保持部３８がロック用孔部３６の周部３６ａに当接して係合することで、可動体６の下方側への移動が規制され、ロック状態となっている。
【００３７】
線条体固定部３５は、図４及び図５に示すように、支持体本体５の上方側部位５ａに備えられている。線条体固定部３５は、線条体４の端部を固定する孔部にて構成されている。線条体固定部３５は、支持体本体５の左右方向の中央部において、上方側部位５ａの上端部と下端部との上下２箇所に備えられている。
【００３８】
一対の線条支持体３の下方側部位には、図１に示すように、線条体４を電線２の上方側に復帰位置させるように、一対の線条支持体３に亘って架け渡された錘部１１が備えられている。錘部１１は、一対の線条支持体３に亘る直線状の棒状体にて構成されている。線条支持体３の支持体本体５には、錘部１１の端部を固定する貫通孔状の錘部固定部３９が備えられている。錘部固定部３９は、支持体本体５の左右方向の中央部において、下方側部位５ｃの下端部に備えられている。これにより、線条支持体３が電線２の周りで回動しても、錘部１１の自重により、一対の線条支持体３の夫々が電線２を中心に回動することで、線条体４を電線２の上方側に復帰位置させている。このように、錘部１１を一対の線条支持体３に亘る状態で固定することで、電線２の長手方向に所定の間隔を隔てる状態で一対の線条支持体３を配置させながら、一対の線条支持体３の夫々を同じ姿勢に保持するようにしている。
【００３９】
錘部１１の上方側には、一対の線条支持体３に亘って錘部用線条体１２が張設されている。線条支持体３の支持体本体５には、錘部用線条体１２の端部を固定する錘部用線条体固定部４０が備えられている。錘部用線条体固定部４０は、支持体本体５の左右方向の中央部において、下方側部位５ｃに備えられている。
【００４０】
図１に示すように、一対の線条支持体３を電線２に取り付けた状態では、上方側から、２本の線条体４、電線２、錘部用線条体１２、錘部１１の順に一直線状に並ぶ状態で備えられている。２本の線条体４が電線２の上方側に位置することで、電線２に鳥が止まるのを防止しており、更に、錘部用線条体１２が錘部１１の上方側に位置することで、錘部１１に対して鳥が止まるのを防止している。
【００４１】
以下、電線２に対して一対の線条支持体３を取り付ける際の動作や構成について説明する。
線条支持体３の取付作業は、図９に示すように、作業者１３が、電線２に直接触れることなく、電線２に対して、作業用工具１４を用いて線条支持体３を移動操作することで、電線２に対して間接的に作業を行う間接工法にて行われている。図９は、あくまで間接工法での作業状態を示す参考図であり、何人の作業者１３にて作業するのか、及び、どのような作業用工具１４を使用するかについては適宜変更が可能である。
【００４２】
図１〜図３に示すように、線条体４、錘部１１、錘部用線条体１２等を一対の線条支持体３に亘って予め張設しておき、一対の線条支持体３を１つの鳥害防止具１として同時に電線２に取り付けるようにしているが、例えば、一対の線条支持体３を別々に電線２に取り付け、線条体４、錘部１１、錘部用線条体１２等を後付けすることも可能である。
【００４３】
まず、図２、図４（ａ）及び図５（ａ）に示すように、作業者１３が支持体本体５に対して可動体６を下方側に移動させることで、支持体本体５と可動体６との間に左右方向に開口する左右開口部１５（図２参照）を形成しておく。支持体本体５における溝部８の下端部まで可動体６を移動させておくことで、上下方向に幅の広い左右開口部１５（図２参照）を形成することができる。
【００４４】
作業者１３は、作業用工具１４を用いて一対の線条支持体３（以下、単に「線条支持体３」と略称する）を移動操作して、電線２と左右開口部１５との上下方向での位置合わせを行った状態において、電線２に対して線条支持体３を接近させるように線条支持体３を左右方向で移動操作する。これにより、図２、図４（ａ）及び図５（ａ）に示すように、電線２を左右開口部１５を通して線条支持体３の挿通孔部３１の下方側に移動させることができる。ちなみに、電線２と左右開口部１５との上下方向での位置合わせを行う場合には、作業者１３から見て、電線２の奥側に線条支持体３を配置させた状態で行うことで、作業者１３の手前側から、電線２と左右開口部１５との位置関係を確認しながら、線条支持体３の左右方向での移動操作を行うことができる。
【００４５】
次に、図２に示すように、電線２を挿通孔部３１の下方側に位置させた状態において、矢印にて示すように、作業者１３は、電線２を上方側の挿通孔部３１内に移動させるために、電線２に対する上下方向での線条支持体３の下方側への移動操作を行う。この線条支持体３の下方側への移動操作に伴って、図５（ｂ）に示すように、可動体６における板状部７の挿通孔部用凹部７ａの上方側部位と電線２とが当接する。この当接状態において線条支持体３が下方側へ移動操作されることで、下方側に移動される支持体本体５に対して、可動体６が上方側への押圧力を受けることになる。よって、可動体６が支持体本体５に対して上方側に移動して、挿通孔部３１の下方側が開口された開口状態から、可動体６（開閉部３２）にて閉塞された閉塞状態に切り替えられる。
【００４６】
このようにして、開閉切替部３３は、電線２に対する上下方向での線条支持体３の下方側への移動操作に伴って、可動体６の板状部７における挿通孔部用凹部７ａと電線２との当接により開閉部３２を上方側に移動させて開口状態から閉塞状態に切り替えている。よって、作業者１３は、線条支持体３等の自重を利用しながら、少ない操作力で線条支持体３の下方側への移動操作を簡易に行うことができる。
【００４７】
ここで、電線２に対する上下方向での線条支持体３の下方側への移動操作の途中等において、作業者１３が線条支持体３を落下させたとしても、線条支持体３（支持体本体５）の自重により、線条支持体３（支持体本体５）が電線２に対して下方側に移動することになる。よって、このような場合でも、開閉切替部３３は、電線２に対する上下方向での線条支持体３の下方側への移動に伴って、可動体６の板状部７における挿通孔部用凹部７ａと電線２との当接により開閉部３２を上方側に移動させて開口状態から閉塞状態に切り替えることができる。
【００４８】
図３、図４（ｂ）及び図５（ｂ）に示すように、開閉切替部３３が開閉部３２を閉塞状態に切り替えることで、挿通孔部３１の下方側の開口が閉塞されることになり、電線２に対して線条支持体３を仮固定することができる。よって、電線２を挿通孔部３１内に移動させるために、作業者１３は、電線２に対して上下方向で線条支持体３を下方側に移動操作するだけという簡易な操作によって、挿通孔部３１の開口を閉塞させるための操作を行わずに、電線２に対して線条支持体３を仮固定することができる。
【００４９】
電線２に対して線条支持体３を仮固定するために、作業者１３は、電線２に対して上下方向で線条支持体３を下方側に移動操作するが、この下方側への移動操作に引き続いて、電線２に対して上下方向で線条支持体３を下方側に移動操作することで、ロック部３４をロック状態に切り替えることができる。
【００５０】
電線２に対する上下方向での線条支持体３の下方側への移動操作に伴って、可動体６の板状部７における挿通孔部用凹部７ａと電線２との当接により可動体６を支持体本体５に対して下方側から上方側に移動させることで、開閉部３２にて挿通孔部３１の下方側を閉塞する閉塞状態となる。このとき、図４（ｂ）及び図５（ｂ）に示すように、可動体６を支持体本体５に対して下方側から上方側に移動させることで、挿脱部３７の下方側部位がロック用孔部３６に挿入される。これにより、引き続いて、電線２に対する上下方向での線条支持体３の下方側への移動操作が行われることで、可動体６が更に上方側に移動することになり、図４（ｃ）及び図５（ｃ）に示すように、挿脱部３７の全体がロック用孔部３６に挿入される。
【００５１】
挿脱部３７の全体がロック用孔部３６に挿入される際に、保持部３８がロック用孔部３６の周部３６ａ等に当接して左右方向での押圧力を受け、挿脱部３７が弾性変形して下方側延設部３７ａと上方側延設部３７ｂとの間隔が小さくなる。これにより、保持部３８が、図４（ｃ）及び図５（ｃ）に示すように、ロック用孔部３６の周部３６ａを乗り越えてロック用孔部３６に挿入され、周部３６ａに当接して係合することになる。保持部３８と周部３６ａとの係合（当接）により、支持体本体５に対する可動体６の下方側への移動が規制され、開閉部３２を閉塞状態にロックするロック状態に切り替えることができる。
【００５２】
作業者１３は、電線２を挿通孔部３１内に移動させるために、電線２に対して上下方向で線条支持体３を下方側に移動操作して、電線２に対して線条支持体３を仮固定し、引き続いて電線２に対して上下方向で線条支持体３を下方側に移動操作することで、開閉部３２を閉塞状態にロックするロック状態に切り替えて、電線２に対して線条支持体３を固定することができる。よって、作業者１３は、電線２に対して上下方向で線条支持体３を下方側に移動操作するという簡易な操作を行うだけで、電線２に線条支持体３を仮固定させるだけでなく、引き続いて、電線２に線条支持体３を本固定することができる。
【００５３】
ロック状態の解除について説明すると、ロック状態では、図４（ｃ）及び図５（ｃ）に示すように、挿脱部３７における折曲部３７ｃが左右方向に突出した姿勢となっている。作業者１３は、折曲部３７ｃに対して左右方向で押圧力を作用させることで、挿脱部３７が弾性変形して下方側延設部３７ａと上方側延設部３７ｂとの間隔が小さくなる。これにより、保持部３８とロック用孔部３６の周部３６ａとの係合（当接）が解除され、ロック状態を解除することができ、支持体本体５に対して可動体６を下方側に移動させることができる。
【００５４】
次に、線条支持体３同士の連結について説明する。
線条支持体３には、図４に示すように、電線２の長手方向の一方側に別の線条支持体３を連結自在な第１連結部４１と、図５に示すように、電線２の長手方向の他方側に別の線条支持体３を連結自在な第２連結部４２とが備えられている。このように、線条支持体３は、第１連結部４１と第２連結部４２とを備えることで、線条支持体３に対して、電線２の長手方向の両側で別の線条支持体３を連結自在に構成されている。
【００５５】
第１連結部４１は、図４及び図６に示すように、電線２の長手方向で支持体本体５の壁部５ｄとの間に左右一対の挿脱用隙間４１ａを形成する状態で板状係合部４１ｂが備えられている。挿脱用隙間４１ａは、上下方向及び左右方向の外側に開口された隙間となっている。板状係合部４１ｂは、支持体本体５の中間部位５ｂに相当する位置に配置されており、下方側が開口するＣ字状に形成され、電線２の外周部に当接自在に構成されている。
【００５６】
第２連結部４２は、図５に示すように、支持体本体５の中間部位５ｂにおける壁部５ｄに連なる板状部位を折り曲げて構成されている。第２連結部４２は、支持体本体５の壁部５ｄの左右両端部から電線２の長手方向に折り曲げて延びる左右一対の第１折曲部４２ａと、その第１折曲部４２ａの先端部から左右方向の内方側に折り曲げて延びる左右一対の第２折曲部４２ｂとが備えられている。第１折曲部４２ａと第２折曲部４２ｂは、支持体本体５の壁部５ｄから連続する平面視で左右一対のＬ字状の壁状に構成されている。これにより、第２連結部４２には、支持体本体５の壁部５ｄと第１折曲部４２ａと第２折曲部４２ｂとに囲まれた挿脱用空間４２ｃが備えられている。左右一対の第２折曲部４２ｂは、左右方向でその先端部同士の間に隙間を形成する状態で左右方向の内方側に延びるように備えられ、挿脱用空間４２ｃは、上下方向及び電線２の配設方向の他方側に開口する空間となっている。
【００５７】
第１連結部４１は、図６に示すように、電線２に対する上下方向での別の線条支持体３ａ（図６中左側に位置する線条支持体３ａ）の下方側への移動操作に伴って、別の線条支持体３ａの第２連結部４２と係合することで、別の線条支持体３ａを連結自在に構成されている。図６では、図中右側に位置する線条支持体３が既に電線２に取り付けられた既設の線条支持体３となっており、図中左側に位置する別の線条支持体３ａを、電線２に取り付けながら、既設の線条支持体３に連結させる状態を示している。
【００５８】
既設の線条支持体３の第１連結部４１に別の線条支持体３ａの第２連結部４２を連結させる場合には、図６に示すように、別の線条支持体３ａを電線２に取り付けるために、電線２に対して上下方向で別の線条支持体３ａを下方側へ移動操作する。このとき、第１連結部４１の挿脱用隙間４１ａが上下方向に開口しているので、別の線条支持体３ａの第２連結部４２における第２折曲部４２ｂが、第１連結部４１における挿脱用隙間４１ａに挿入される。これにより、図７に示すように、第１連結部４１の板状係合部４１ｂと第２連結部４２の第２折曲部４２ｂとが係合することになり、既設の線条支持体３と別の線条支持体３ａとの間で電線２の長手方向での移動が規制され、既設の線条支持体３と別の線条支持体３ａとを連結させることができる。
【００５９】
第２連結部４２は、図８に示すように、電線２に対する上下方向での別の線条支持体３ａ（図８中右側に位置する線条支持体３ａ）の下方側への移動操作に伴って、別の線条支持体３ａの第１連結部４１と係合することで、別の線条支持体３ａを連結自在に構成されている。図８では、図中左側に位置する線条支持体３が既に電線２に取り付けられた既設の線条支持体３となっており、図中右側に位置する別の線条支持体３ａを、電線２に取り付けながら、既設の線条支持体３に連結させる状態を示している。
【００６０】
既設の線条支持体３の第２連結部４２に別の線条支持体３ａの第１連結部４１を連結させる場合には、図８に示すように、別の線条支持体３ａを電線２に取り付けるために、電線２に対して上下方向で別の線条支持体３ａを下方側へ移動操作する。このとき、第２連結部４２の挿脱用空間４２ｃ（図５参照）が上下方向に開口しているので、別の線条支持体３ａの第１連結部４１における板状係合部４１ｂが、第２連結部４２における挿脱用空間４２ｃに挿入される。これにより、図７と同様であるので、図示は省略するが、第１連結部４１の板状係合部４１ｂと第２連結部４２の第２折曲部４２ｂとが係合することになり、既設の線条支持体３と別の線条支持体３ａとの間で電線２の長手方向での移動が規制され、既設の線条支持体３と別の線条支持体３ａとを連結させることができる。
【００６１】
作業者１３は、別の線条支持体３ａを電線２に取り付けるために、別の線条支持体３ａの下方側への移動操作を行うだけで、別の線条支持体３ａの取付作業と既設の線条支持体３に対する連結作業とを同時に行うことができる。しかも、既設の線条支持体３に対して電線２の長手方向の両側に別の線条支持体３ａを連結することができるので、図９に示すように、作業者１３は、電線２の長手方向に移動しなくても、既設の線条支持体３に別の線条支持体３ａを連結させて、図９中の矢印にて示すように、電線２の長手方向に連結した線条支持体３を移動させることで、一対の線条支持体３を１つの組として、複数組の線条支持体３を電線２の長手方向に連続させる状態で取り付けることができる。
【００６２】
〔別実施形態〕
本発明の他の実施形態について説明する。
尚、以下に説明する各実施形態の構成は、夫々単独で適用することに限らず、他の実施形態の構成と組み合わせて適用することも可能である。
【００６３】
（１）上記実施形態では、開閉切替部３３が、電線２に対する線条支持体３の下方側への移動操作に伴って、電線２との当接により開閉部３２を上方側に移動させて開口状態から閉塞状態に切り替えているが、開閉切替部が開閉部を開口状態から閉塞状態に切り替えるための移動操作は、電線を挿通孔部内に移動させるための電線に対する線条支持体の移動操作であればよく、例えば、電線に対する線条支持体の左右方向での移動操作等、電線に線条支持体を取り付けるための各種の移動操作を適用することができる。
【符号の説明】
【００６４】
１          鳥害防止具
２          電線
３          線条支持体
４          線条体
１１        錘部
１２        錘部用線条体
３１        挿通孔部
３２        開閉部
３３        開閉切替部
３４        ロック部
４１        第１連結部
４２        第２連結部
【図１】
2020184975.tif 000003
【図２】
2020184975.tif 000004
【図３】
2020184975.tif 000005
【図４】
2020184975.tif 000006
【図５】
2020184975.tif 000007
【図６】
2020184975.tif 000008
【図７】
2020184975.tif 000009
【図８】
2020184975.tif 000010
【図９】
2020184975.tif 000011